(57)【要約】【課題】異なるトレーニング環境下でのトレーニング状況を統一的に管理し、効率的にトレーニングを進めることを可能にする。【解決手段】トレーニング施設の施設内端末であるチェックイン／アウト端末（受付）２０、施設ゲート端末（スタジオ／プール）２１、器具端末（ジムマシン）２２において、ユーザのウェアラブルデバイス１０が近付けられる（タッチされる）と、当該ウェアラブルデバイス１０に記憶されているユーザＩＤとその施設内端末に基づいて、管理サーバに設定されている該当ユーザのその施設内端末に応じた施設（チェックイン／アウト端末２０の場合は施設全体、施設ゲート端末２１の場合はスタジオ／プール毎、器具端末２２の場合はマシン毎）でのトレーニングメニューや同管理サーバに集約されたトレーニング結果がトレーナ画像と共に取得され投影パネル２３に投影・表示される。【選択図】      図４
2016158867.tif 000002
【特許請求の範囲】
【請求項１】
通信端末から通信により運動情報を取得する運動情報取得手段と、
前記通信端末との通信に基づいてトレーニング機器による前記運動情報を取得する機器運動情報取得手段と、
前記運動情報取得手段により取得された運動情報と前記機器運動情報取得手段により取得された運動情報とを前記通信端末に対応付けて管理する運動情報管理手段と、
を備えたことを特徴とする情報処理装置。
【請求項２】
前記通信端末との通信に基づいてユーザに対応したトレーニング情報を取得するトレーニング情報取得手段と、
前記トレーニング情報取得手段により取得されたトレーニング情報を出力するトレーニング情報出力手段と、
を備えたことを特徴とする請求項１に記載の情報処理装置。
【請求項３】
前記通信端末との通信に応じて前記運動情報管理手段により当該通信端末に対応付けて管理された運動情報を出力する運動情報出力手段と、
を備えたことを特徴とする請求項１又は請求項２に記載の情報処理装置。
【請求項４】
前記通信端末は、当該通信端末の動きに応じた運動を検出する運動センサを備え、
前記運動情報取得手段は、前記通信端末から通信により前記運動センサにより検出された運動情報を取得する、
ことを特徴とする請求項１ないし請求項３の何れか１項に記載の情報処理装置。
【請求項５】
前記トレーニング機器は、当該トレーニング機器の動きを検出する機器動作検出手段を備え、
前記機器運動情報取得手段は、前記通信端末との通信に基づいて前記機器動作検出手段により検出されたトレーニング機器の動きをユーザの運動情報として取得する、
ことを特徴とする請求項１ないし請求項４の何れか１項に記載の情報処理装置。
【請求項６】
前記トレーニング情報は、前記ユーザの固有の情報に基づいて作成されたトレーニングメニューであって、当該ユーザ自身の動きに応じたトレーニングメニューと前記トレーニング機器を使用したトレーニングメニューとの両方または何れかを含む、
ことを特徴とする請求項２に記載の情報処理装置。
【請求項７】
前記運動情報管理手段は、前記運動情報取得手段により取得された運動情報と前記機器運動情報取得手段により取得された運動情報とを外部の管理サーバに転送して前記通信端末に対応付けて管理し、
前記運動情報出力手段は、前記通信端末との通信に応じて当該通信端末に対応付けて一括して管理された運動情報を前記管理サーバから取得して出力する、
ことを特徴とする請求項３ないし請求項６の何れか１項に記載の情報処理装置。
【請求項８】
情報処理装置のコンピュータを制御するための情報処理方法であって、
通信端末から通信により運動情報を取得し、
前記通信端末との通信に基づいてトレーニング機器による前記運動情報を取得し、
前記通信端末から通信により取得された運動情報と前記通信端末との通信に基づいて取得された前記トレーニング機器による運動情報とを前記通信端末に対応付けて管理する、
ようにした情報処理方法。
【請求項９】
情報処理装置のコンピュータを制御するためのプログラムであって、
前記コンピュータを、
通信端末から通信により運動情報を取得する運動情報取得手段、
前記通信端末との通信に基づいてトレーニング機器による前記運動情報を取得する機器運動情報取得手段、
前記運動情報取得手段により取得された運動情報と前記機器運動情報取得手段により取得された運動情報とを前記通信端末に対応付けて管理する運動情報管理手段、
として機能させるためのプログラム。
【発明の詳細な説明】
【技術分野】
【０００１】
本発明は、個人に適したトレーニング情報を出力させるための情報処理装置、情報処理方法、およびプログラムに関する。
【背景技術】
【０００２】
腕や身体に装着して単体で運動量を計測する端末とスマートフォンなどを経由してサーバと通信を行い、ログを管理する仕組みは一般的になりつつある。また、スポーツクラブ等のトレーニング施設では専門のトレーナが各個人の特性に応じてトレーニングメニューを作成してくれるサービスも一般的である。
【０００３】
一方、スポーツクラブ等の施設において、主にユーザを管理するためのＩＤタグをチェックイン時に装着するシステムなどもよく知られている。
【０００４】
トレーニング施設を利用する利用者の運動能力を向上させるために役立つトレーニングメニューと、利用者が特定のスポーツを行なう際に直面している運動上の問題を解決するために役立つトレーニングメニューとに基づいて、当該利用者に適した１以上のトレーニングメニューを提案するトレーニングメニュー提案システムが考えられている（例えば、特許文献１参照。）。
【先行技術文献】
【特許文献】
【０００５】
【特許文献１】特開２０１１−１８９０１４号公報
【発明の概要】
【発明が解決しようとする課題】
【０００６】
従来、個人の運動に関するログをサーバで管理したり、個人の特性に応じたトレーニングメニューを作成あるいは提示したりすることが行われている。
【０００７】
しかしながら、トレーニング施設内のスタジオやプールというような身体そのものを使ったトレーニング環境とマシンジムというような器具を使ったトレーニング環境との異なる環境下でのトレーニング状況を統一的に管理し、効率的にトレーニングを進める仕組みは見られない。
【０００８】
本発明は、このような課題に鑑みなされたもので、異なるトレーニング環境下でのトレーニング状況を統一的に管理し、効率的にトレーニングを進めることが可能になる情報処理装置、情報処理方法、およびプログラムを提供することを目的とする。
【課題を解決するための手段】
【０００９】
本発明に係る情報処理装置は、通信端末から通信により運動情報を取得する運動情報取得手段と、前記通信端末との通信に基づいてトレーニング機器による前記運動情報を取得する機器運動情報取得手段と、前記運動情報取得手段により取得された運動情報と前記機器運動情報取得手段により取得された運動情報とを前記通信端末に対応付けて管理する運動情報管理手段と、を備えたことを特徴としている。
【発明の効果】
【００１０】
本発明によれば、身体そのものを使ったトレーニング環境と器具を使ったトレーニング環境など、異なるトレーニング環境下でのトレーニング状況を統一的に管理し、効率的にトレーニングを進めることが可能になる。
【図面の簡単な説明】
【００１１】
【図１】本発明の情報処理装置の実施形態に係るトレーニング情報出力システムの全体構成を示すブロック図。
【図２】前記トレーニング情報出力システムにおけるウェアラブルデバイス１０の電子回路の構成を示すブロック図。
【図３】前記トレーニング情報出力システムの管理サーバ３０にて記憶管理されるユーザ情報３１の一例を示す図。
【図４】前記トレーニング情報出力システムのトレーニング施設を対象とした各施設内端末の設置の一例を示す図。
【図５】前記トレーニング情報出力システムの施設内端末（チェックイン／アウト端末２０）による全体処理を示すフローチャート。
【図６】前記トレーニング情報出力システムの施設内端末（チェックイン／アウト端末２０）による入退場処理を示すフローチャートであり、同図（Ａ）はその入場処理を示すフローチャート、同図（Ｂ）はその退場処理を示すフローチャート。
【図７】前記トレーニング情報出力システムの施設内端末（施設ゲート端末２１）による入退場処理を示すフローチャート。
【図８】前記トレーニング情報出力システムの施設内端末（器具端末２２）による入退場処理を示すフローチャート。
【発明を実施するための形態】
【００１２】
以下図面により本発明の実施の形態について説明する。
【００１３】
図１は、本発明の情報処理装置の実施形態に係るトレーニング情報出力システムの全体構成を示すブロック図である。
【００１４】
このトレーニング情報出力システムは、トレーニング施設のユーザに装着されるウェアラブルデバイス１０と、当該ウェアラブルデバイス１０と近距離無線通信によって相互に通信可能であってトレーニング施設内の各施設に設置される施設内端末２０，２１Ａ，２１Ｂ，２２Ａ，２２Ｂと、当該施設内端末２０，２１Ａ，２１Ｂ，２２Ａ，２２Ｂとネットワークを介して相互に通信可能な管理サーバ３０とを備えている。
【００１５】
図２は、前記トレーニング情報出力システムにおけるウェアラブルデバイス１０の電子回路の構成を示すブロック図である。
【００１６】
このウェアラブルデバイス１０の電子回路は、ＣＰＵ１１を備え、このＣＰＵ１１には、メモリ１２、運動センサ１３、タイマ／時計部１４、非接触通信部１５が接続される。
【００１７】
前記ＣＰＵ１１は、前記メモリ１２に記憶されるデバイス制御プログラムに従い回路各部の動作を制御するもので、当該メモリ１２には、さらに、本デバイス１０を装着するユーザのユーザＩＤ１２ａ、本デバイス１０の現在の動作モード１２ｂ、当該現在の動作モードに応じて前記運動センサ１３により検出される運動の内容と前記タイマ／時計部１４により得られる時間とに基づいた運動情報１２ｃが記憶される。
【００１８】
前記運動センサ１３は、例えば３軸加速度センサを備え、上下、左右、回転方向への運動およびその強さや心拍などを検出する。
【００１９】
そして、前記運動情報１２ｃは、上記運動センサ１３により検出される運動方向およびその強さや心拍などと前記タイマ／時計部１４により計時される当該運動の時間とに基づいて、前記運動モードが例えばエアロビクスに設定されている場合は、当該エアロビクスの運動量として解析されて記憶され、例えばプールのウォーキングに設定されている場合は、プールウオーキングの運動量として解析され、消費カロリー等の運動情報が記憶される。
【００２０】
前記非接触通信部１５は、近距離無線通信手段（Bluetooth（登録商標）やＮＦＣ(Near Field Communication)など）の送受信部からなり、前記施設内端末２０，２１Ａ，２１Ｂ，２２Ａ，２２Ｂの後述する非接触通信部２５との間で情報通信を行なう。
【００２１】
なお、前記ウェアラブルデバイス１０には、内部の情報や外部からの情報を必要に応じて表示させるための表示部１６を設けてもよい。
【００２２】
図３は、前記トレーニング情報出力システムの管理サーバ３０にて記憶管理されるユーザ情報３１の一例を示す図である。
【００２３】
図４は、前記トレーニング情報出力システムのトレーニング施設を対象とした各施設内端末の設置の一例を示す図である。
【００２４】
本実施形態のトレーニング情報出力システムにおいて、何れも施設内端末であるチェックイン／アウト端末２０は、図４（Ａ）（Ｅ）に示すように、トレーニング施設の受付に設置され、また施設ゲートＡ端末２１Ａは、図４（Ｂ）に示すように、同トレーニング施設内のスタジオＡの出入り口に設置され、また施設ゲートＢ端末２１Ｂは、同トレーニング施設内のスタジオＢ（図示せず）の出入り口に設置され、また器具Ａ端末２２Ａは、図４（Ｃ）に示すように、同トレーニング施設内のマシンジムの出入り口かマシンＡに直接設置され、また器具Ｂ端末２２Ｂは、前記器具Ａ端末２２ＡがマシンＡに直接設置された場合は、同様にマシンＢに直接設置される。さらに、図４（Ｄ）に示すように、施設ゲート端末２１Ｃは、同トレーニング施設内のプールの出入口に設置される。
【００２５】
前記各施設内端末２０，２１Ａ，２１Ｂ，２１Ｃ，２２Ａ，２２Ｂは、何れも図示しないＣＰＵを備え、メモリに記憶された端末制御プログラムに従い各部の動作を制御するもので、各端末２０，２１Ａ，２１Ｂ，２１Ｃ，２２Ａ，２２Ｂには、人物像を含む画像を背面から投影して表示させるための投影パネル２３、当該投影パネル２３に対して短焦点で画像を投影するためのプロジェクタ２４、前記ウェアラブルデバイス１０の非接触通信部１５と通信するための非接触通信部２５、タッチパネル表示部２６、前記管理サーバ３０と通信するためのネットワーク通信部（図示せず）が備えられる。
【００２６】
前記管理サーバ３０も、図示しないＣＰＵ、メモリ、入出力部、ネットワーク通信部を備え、当該メモリに記憶されたサーバ制御プログラムに従い各部の動作を制御するもので、前記メモリには、さらに、図３で示したように、本実施形態のトレーニング情報出力システムを導入したトレーニング施設の登録ユーザに対応したユーザ情報３１が記憶される。
【００２７】
このユーザ情報３１としては、例えば、登録ユーザのユーザＩＤ、当該登録ユーザがトレーニング施設内に現在エントリ済み（入場中）か否かを示すエントリ情報（Ｙ／Ｎ）、当該登録ユーザの担当トレーナのトレーナ情報（ＩＤ／名前／人物画像／…）、当該登録ユーザの特性やトレーニングの目標等に応じて生成されたトレーニングメニュー、当該トレーニングメニューに含まれる個別項目毎の消化の開始／終了時刻、当該トレーニングメニューの消化状況に応じたトレーニングの成果（消費カロリー等）や成果に応じたトレーナのアドバイス等が記憶される。
【００２８】
このように構成されたトレーニング情報出力システムのウェアブルデバイス１０、各施設内端末２０，２１Ａ，２１Ｂ，２１Ｃ，２２Ａ，２２Ｂ、管理サーバ３０は、それぞれ何れもそのＣＰＵがプログラムに記述された命令に従い回路各部の動作を制御し、ソフトウエアとハードウエアとが協働して動作することにより、以下の動作説明で述べる各種の機能を実現する。
【００２９】
次に、前記構成のトレーニング情報出力システムの動作について説明する。
【００３０】
図５は、前記トレーニング情報出力システムの施設内端末（チェックイン／アウト端末２０）による全体処理を示すフローチャートである。
【００３１】
図６は、前記トレーニング情報出力システムの施設内端末（チェックイン／アウト端末２０）による入退場処理を示すフローチャートであり、同図（Ａ）はその入場処理を示すフローチャート、同図（Ｂ）はその退場処理を示すフローチャートである。
【００３２】
この実施形態では、前記ウェアラブルデバイス１０を装着したユーザが、前記図４で示したトレーニング施設を利用する場合の動作について説明する。
【００３３】
ユーザのトレーニング施設への入退場に伴い、図４（Ａ）に示すように、当該施設受付のチェックイン／アウト端末２０において、ユーザのウェアラブルデバイス１０が近付けられると、互いの非接触通信部１５，２５を介してウェアラブルデバイス１０のメモリ１２から読み出されたユーザＩＤ１２ａに基づいて、ネットワーク通信部を介して接続される管理サーバ３０に対して当該ユーザが施設内にエントリ済みであるか否かが問い合わせられる（ステップＲ）。
【００３４】
管理サーバ３０に登録されたユーザ情報３１（図３参照）において、前記ウェアラブルデバイス１０から読み出されたユーザＩＤ１２ａに対応付けられてエントリ情報（Ｎ）が記憶されている場合は、エントリ済み（入場中）ではないと判断され（ステップＲ（Ｎｏ））、図６（Ａ）に示す入場処理が実行される（ステップＲＡ）。この際、前記エントリ情報（Ｎ）は（Ｙ）に変更される。
【００３５】
また、管理サーバ３０に登録されたユーザ情報３１（図３参照）において、前記ウェアラブルデバイス１０から読み出されたユーザＩＤ１２ａに対応付けられてエントリ情報（Ｙ）が記憶されている場合は、エントリ済み（入場中）と判断され（ステップＲ（Ｙｅｓ））、図６（Ｂ）に示す退場処理が実行される（ステップＲＢ）。この際、前記エントリ情報（Ｙ）は（Ｎ）に変更される。
【００３６】
前記チェックイン／アウト端末２０の入場処理（図６（Ａ））に従って、ユーザエントリ処理が行われると（ステップＡ１）、前記管理サーバ３０から前記ユーザＩＤ１２ａに対応付けられたユーザ情報３１（図３参照）が取得され（ステップＡ２）、登録済みのトレーニングメニューがあるか否かが判断される（ステップＡ３）。
【００３７】
ここで、前記ユーザＩＤ１２ａに対応したユーザ情報３１において、トレーニングメニューが登録されてないと判断された場合は（ステップＡ３（Ｎｏ））、タッチパネル表示部２６に対して、当該ユーザ専用のトレーニングメニューを作成するためのメニュー作成画面が表示され、ユーザの特性，トレーニングの目標，日程等の入力が促される（ステップＡ４ａ）。
【００３８】
前記タッチパネル表示部２６に表示されたメニュー作成画面において、ユーザ操作に応じて、その特性，トレーニングの目標，日程等が入力されると、前記管理サーバ３０において、前記入力されたユーザの特性，トレーニングの目標，日程等に応じたトレーニングメニューが作成され、前記ユーザ情報３１に登録される。すると、前記チェックイン／アウト端末２０において、前記管理サーバ３０にて作成・登録されたトレーニングメニューが担当トレーナの画像と共に読み出され、例えば今月の入場回数（１回目），メニュー消化状況（未消化），本日のメニュー一覧等として、プロジェクタ２４から投影パネル２３に投影されて表示される（ステップＡ５）。
【００３９】
一方、前記ユーザＩＤ１２ａに対応したユーザ情報３１において、トレーニングメニューが登録されていると判断された場合は（ステップＡ３（Ｙｅｓ））、当該登録されているトレーニングメニューが担当トレーナの画像と共に読み出され、例えば今月の入場回数，メニュー消化状況，本日のメニュー一覧等として、プロジェクタ２４から投影パネル２３に投影されて表示される（ステップＡ４ｂ，Ａ５）。
【００４０】
これにより、ユーザは、前記トレーニング施設への入場に際して、当該ユーザ自身のウェアラブルデバイス１０を前記チェックイン／アウト端末２０の非接触通信部２５に近付ける（あるいはタッチする）だけで、当該ユーザに応じて作成されたトレーニングメニュー（今日のメニュー等）を担当トレーナの画像と共に簡単に表示させて確認できる。そして、前記チェックイン／アウト端末２０にて確認した今日のトレーニングメニュー従い、例えば図４（Ｂ）（Ｃ）（Ｄ）に示すように、該当するスタジオＡ，Ｂ，…やマシンジムを順番に回って効率的にトレーニングできる。
【００４１】
図７は、前記トレーニング情報出力システムの施設内端末（施設ゲート端末２１）による入退場処理を示すフローチャートである。
【００４２】
例えば、前記図４（Ｂ）で示したスタジオＡの出入り口に設置した施設ゲートＡ端末２１Ａにおいて、前記ユーザのウェアラブルデバイス１０が近付けられると、当該ウェアラブルデバイス１０から読み出されたユーザＩＤに基づいて、前記管理サーバ３０との間でのユーザエントリ処理が行われ（ステップＳ１）、該当するユーザ情報（図３参照）３１のメニュー「スタジオＡ」に対応して利用開始時刻「１月１０日１３：００〜」が記録されると共に、当該ユーザ情報３１が取得される（ステップＳ２）。
【００４３】
そして、前記管理サーバ３０から取得されたユーザ情報３１に従い、当該スタジオＡにおける該当ユーザのトレーニングメニュー「エアロビクス３０分」が担当トレーナの画像と共に投影パネル２３に表示される（ステップＳ３）。
【００４４】
すると、この施設ゲートＡ端末２１Ａからの制御信号により前記ウェアラブルデバイス１０の運動センサ１３を含む動作モードが当該トレーニングメニュー「エアロビクス３０分」に応じた動作モードに設定される（ステップＳ４）。
【００４５】
これにより、ユーザのスタジオＡでのトレーニング「エアロビクス３０分」に伴う運動情報１２ｃが前記ウェアラブルデバイス１０のメモリ１２に記憶される。
【００４６】
この後、スタジオＡでのトレーニングメニュー「エアロビクス３０分」を消化して退場する際に、前記施設ゲートＡ端末２１Ａにおいて、前記ユーザのウェアラブルデバイス１０が再び近付けられる（あるいはタッチされる）と（ステップＳ５（Ｙｅｓ））、当該ウェアラブルデバイス１０の運動センサ１３を含む動作モードが通常の動作モードに再設定される（ステップＳ６）。
【００４７】
すると、前記管理サーバ３０の該当するユーザ情報（図３参照）３１のメニュー「スタジオＡ」に対応して利用終了時刻「１３：３０」が記録されると共に、当該ユーザのウェアラブルデバイス１０のメモリ１２に記録された運動情報１２ｃが読み出され、前記管理サーバ３０のユーザ情報３１としてアップロードされる。そして、前記アップロードされた運動情報１２ｃに応じて管理サーバ３０にて生成されたメッセージ（例えば「Ａカロリー消費」）が前記投影パネル２３に表示される（ステップＳ７）。
【００４８】
これにより、ユーザは、前記チェックイン／アウト端末２０にて表示・指示されたトレーニングメニューに従ったスタジオＡへの入退場に際して、当該ユーザ自身のウェアラブルデバイス１０を前記施設ゲートＡ端末２１Ａの非接触通信部２５に近付ける（あるいはタッチする）だけで、当該スタジオＡでの個別のトレーニングメニュー（今日のメニュー等）を担当トレーナの画像と共に簡単に表示させて確認できる。またこれと共に、ウェアラブルデバイス１０の動作モードを該当メニュー「エアロビクス」に応じた動作モードに自動設定することができ、該当モードでの運動センサ１３により取得された運動情報１２ｃを管理サーバ３０へアップロードしユーザ情報３１として一括管理できる。
【００４９】
なお、この後ユーザが、前記指示されたトレーニングメニューに従って他のスタジオＢやプール等へ入退場する場合でも、そのそれぞれの出入り口に設置された施設ゲートＢ端末２１Ｂや施設ゲートＣ端末２１Ｃ（図４（Ｄ）参照）に前記ウェアラブルデバイス１０を近付ける（あるいはタッチする）だけで、前記同様に、当該スタジオＢやプール等での個別のトレーニングメニュー（今日のメニュー等）を担当トレーナの画像と共に簡単に表示させて確認できる。また前記同様に、ウェアラブルデバイス１０の動作モードを各該当メニュー（例えば「ヨガ」や「ウォーキング」）に応じた動作モードに自動設定することができ、該当モードでの運動センサ１３により取得された運動情報１２ｃを管理サーバ３０へアップロードしユーザ情報３１として一括管理できる。
【００５０】
図８は、前記トレーニング情報出力システムの施設内端末（器具端末２２）による入退場処理を示すフローチャートである。
【００５１】
例えば、前記図４（Ｃ）で示したマシンジムのマシンＡに設置した器具Ａ端末２２Ａにおいて、前記ユーザのウェアラブルデバイス１０が近付けられると、当該ウェアラブルデバイス１０から読み出されたユーザＩＤに基づいて、前記管理サーバ３０との間でのユーザエントリ処理が行われ（ステップＭ１）、該当するユーザ情報（図３参照）３１のメニュー「ジムマシンＡ」に対応して利用開始時刻「１月１０日１５：００〜」が記録されると共に、当該ユーザ情報３１が取得される（ステップＭ２）。
【００５２】
そして、前記管理サーバ３０から取得されたユーザ情報３１に従い、当該マシンＡにおける該当ユーザのトレーニングメニュー「５０回×３」が担当トレーナの画像と共に投影パネル２３に表示される（ステップＭ３）。
【００５３】
すると、この器具Ａ端末２２Ａからの制御信号により該当するジムマシンＡの負荷のレベルと目標回数（ここでは５０回）が設定される（ステップＭ４）。
【００５４】
これにより、ユーザがジムマシンＡによって行なうべき負荷レベルと回数が同マシンＡに設定される。
【００５５】
この後、前記ユーザがマシンＡでのトレーニングメニュー「５０回×３」を消化するのに従い、当該マシンＡにおいて前記設定されたトレーニングメニュー「５０回×３」がカウントダウンされて残り“０”に達したと判断されると（ステップＭ５（＝０））、前記管理サーバ３０の該当するユーザ情報（図３参照）３１のメニュー「ジムマシンＡ」に対応して利用終了時刻「１５：３０」が記録されると共に、当該マシンＡの動きに応じて検出された運動情報が、前記管理サーバ３０のユーザ情報３１としてアップロードされる。そして、前記マシンＡによる運動情報に応じたメッセージ（例えば、カロリー消費量）が前記管理サーバ３０により生成されて取得され、前記投影パネル２３に表示される（ステップＭ６）。
【００５６】
これにより、ユーザは、前記チェックイン／アウト端末２０にて表示・指示されたトレーニングメニューに従ったマシンジムへの入退場に際して、当該ユーザ自身のウェアラブルデバイス１０を前記マシンＡに設置した器具Ａ端末２２Ａの非接触通信部２５に近付ける（あるいはタッチする）だけで、当該マシンＡでの個別のトレーニングメニュー（今日のメニュー等）を担当トレーナの画像と共に簡単に表示させて確認できる。またこれと共に、該当メニュー「５０回×３」を当該マシンＡに自動設定することができ、同マシンＡの動作に応じて取得された運動情報を管理サーバ３０へアップロードしユーザ情報３１として一括管理できる。
【００５７】
なお、この後ユーザが、前記指示されたトレーニングメニューに従って他のジムマシンＢ等でトレーニングする場合でも、当該マシンＢに設置された器具Ｂ端末２２Ｂに前記ウェアラブルデバイス１０を近付ける（あるいはタッチする）だけで、前記同様に、当該マシンＢでの個別のトレーニングメニュー（今日のメニュー等）を担当トレーナの画像と共に簡単に表示させて確認できる。また前記同様に、該当するトレーニングメニュー（例えば「３０回×５」）を当該マシンＢに自動設定することができ、同マシンＢの動作に応じて取得された運動情報を管理サーバ３０へアップロードしユーザ情報３１として一括管理できる。
【００５８】
こうして、ユーザが、前記チェックイン／アウト端末２０にて表示・指示されたトレーニングメニューに従って、前記各スタジオＡ，Ｂ，…やジムマシンＡ，Ｂ，…を回ってトレーニングを消化した後に、当該トレーニング施設から退場するのに伴い、図４（Ｅ）で示したように、前記施設受付のチェックイン／アウト端末２０において、ユーザのウェアラブルデバイス１０が再び近付けられると、当該ウェアラブルデバイス１０から読み出されたユーザＩＤに対応して退場処理へ移行され（図５：ステップＲ→ＲＢ）、前記管理サーバ３０に記憶管理されているユーザ情報３１が取得される（図６（Ｂ）：ステップＢ１）。
【００５９】
そして、前記管理サーバ３０から取得されたユーザ情報３１に基づいて、当日のトレーニングに応じた成果（例えば、消費カロリー）が担当トレーナの画像および当該トレーナからのアドバイス（例えば、消費カロリーに応じて予め生成されたアドバイス）と共に投影パネル２３に投影されて表示される（ステップＢ２，Ｂ３）。
【００６０】
したがって、前記構成のトレーニング情報出力システムによれば、トレーニング施設の施設内端末であるチェックイン／アウト端末（受付）２０、施設ゲート端末（スタジオ／プール）２１、器具端末（ジムマシン）２２において、ユーザのウェアラブルデバイス１０が近付けられる（タッチされる）と、当該ウェアラブルデバイス１０に記憶されているユーザＩＤ１２ａとその施設内端末に基づいて、管理サーバ３０に設定されている該当ユーザのその施設内端末に応じた施設（チェックイン／アウト端末２０の場合は施設全体、施設ゲート端末２１の場合はスタジオ／プール毎、器具端末２２の場合はマシン毎）でのトレーニングメニューがトレーナ画像と共に取得され投影パネル２３に表示される。
【００６１】
そして、ユーザのトレーニングに伴う運動情報は、前記スタジオ／プールの場合は前記ウェアラブルデバイス１０に内蔵された運動センサ１３に基づき取得され、退場時に該当の施設ゲート端末２１に再度近付けることで管理サーバ３０へアップロードされユーザ情報３１として集約管理される。また、前記ジムマシンの場合は当該マシンの動きに応じて検出・取得され管理サーバ３０へアップロードされユーザ情報３１として集約管理される。
【００６２】
そして、施設退場時に前記チェックイン／アウト端末２０にウェアラブルデバイス１０が再度近付けられると、前記管理サーバ３０にて集約管理された前記ユーザの運動情報が取得され、トレーニングの成果として投影パネル２３に表示される。
【００６３】
これにより、身体そのものを使ったトレーニング環境と器具を使ったトレーニング環境など、異なるトレーニング環境下でのトレーニング状況を統一的に管理し、効率的にトレーニングを進めることが可能になる。
【００６４】
なお、前記実施形態のトレーニング情報出力システムにおいて、管理サーバ３０は、各施設内端末２０，２１，２２とは別体に設ける構成としたが、例えば各施設内端末２０，２１，２２同士を通信ネットワークで接続し、そのうち１台の施設内端末（例えば、チェックイン／アウト端末（受付）２０）に前記管理サーバ３０の機能も持たせる構成としてもよい。
【００６５】
また、前記実施形態のトレーニング情報出力システムにおいて、ウェアラブルデバイス１０を各施設内端末２０，２１，２２に近付ける（あるいはタッチする）ことに応じて投影パネル２３に表示出力されるトレーニングメニューやトレーニングの成果等の情報は、前記ウェアラブルデバイス１０に転送してその表示部１６に表示させる構成としてもよい。
【００６６】
また、前記実施形態のトレーニング情報出力システムにおいて、ウェアラブルデバイス１０と各施設内端末２０，２１，２２とは、互いの非接触通信部１５，２５によって無線通信する構成としたが、例えばコネクターを介して接続し有線通信する構成としてもよい。
【００６７】
前記各実施形態において記載したトレーニング情報出力システムによる各処理の手法、すなわち、図５のフローチャートに示すチェックイン／アウト端末（受付）２０での全体処理、図６のフローチャートに示す前記チェックイン／アウト端末（受付）２０での入場処理と退場処理、図７のフローチャートに示す施設ゲート端末（スタジオ／プール）２１での入退場処理、図８のフローチャートに示す器具端末（ジムマシン）２２での入退場処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に格納して配布することができる。そして、表示装置（２３，２４）等の出力手段を備えた電子機器のコンピュータ（制御装置）は、この外部記憶装置の媒体に記憶されたプログラムを記憶装置に読み込み、この読み込んだプログラムによって動作が制御されることにより、前記実施形態において説明したユーザに応じた各種トレーニング情報の取得機能と出力機能を実現し、前述した手法による同様の処理を実行することができる。
【００６８】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを表示装置（２３，２４）等の出力手段を備えた電子機器に取り込んで記憶装置に記憶させ、前述したユーザに応じた各種トレーニング情報の取得機能と出力機能を実現することもできる。
【００６９】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７０】
以下に、本願出願の当初の特許請求の範囲に記載された発明を付記する。
【００７１】
［１］
通信端末から通信により運動情報を取得する運動情報取得手段と、
前記通信端末との通信に基づいてトレーニング機器による前記運動情報を取得する機器運動情報取得手段と、
前記運動情報取得手段により取得された運動情報と前記機器運動情報取得手段により取得された運動情報とを前記通信端末に対応付けて管理する運動情報管理手段と、
を備えたことを特徴とする情報処理装置。
【００７２】
［２］
前記通信端末との通信に基づいてユーザに対応したトレーニング情報を取得するトレーニング情報取得手段と、
前記トレーニング情報取得手段により取得されたトレーニング情報を出力するトレーニング情報出力手段と、
を備えたことを特徴とする［１］に記載の情報処理装置。
【００７３】
［３］
前記通信端末との通信に応じて前記運動情報管理手段により当該通信端末に対応付けて管理された運動情報を出力する運動情報出力手段と、
を備えたことを特徴とする［１］又は［２］に記載の情報処理装置。
【００７４】
［４］
前記通信端末は、当該通信端末の動きに応じた運動を検出する運動センサを備え、
前記運動情報取得手段は、前記通信端末から通信により前記運動センサにより検出された運動情報を取得する、
ことを特徴とする［１］ないし［３］の何れかに記載の情報処理装置。
【００７５】
［５］
前記トレーニング機器は、当該トレーニング機器の動きを検出する機器動作検出手段を備え、
前記機器運動情報取得手段は、前記通信端末との通信に基づいて前記機器動作検出手段により検出されたトレーニング機器の動きをユーザの運動情報として取得する、
ことを特徴とする［１］ないし［４］の何れかに記載の情報処理装置。
【００７６】
［６］
前記トレーニング情報は、前記ユーザの固有の情報に基づいて作成されたトレーニングメニューであって、当該ユーザ自身の動きに応じたトレーニングメニューと前記トレーニング機器を使用したトレーニングメニューとの両方または何れかを含む、
ことを特徴とする［２］に記載の情報処理装置。
【００７７】
［７］
前記運動情報管理手段は、前記運動情報取得手段により取得された運動情報と前記機器運動情報取得手段により取得された運動情報とを外部の管理サーバに転送して前記通信端末に対応付けて管理し、
前記運動情報出力手段は、前記通信端末との通信に応じて当該通信端末に対応付けて一括して管理された運動情報を前記管理サーバから取得して出力する、
ことを特徴とする［３］ないし［６］の何れかに記載の情報処理装置。
【００７８】
［８］
情報処理装置のコンピュータを制御するための方法であって、
通信端末から通信により運動情報を取得し、
前記通信端末との通信に基づいてトレーニング機器による前記運動情報を取得し、
前記通信端末から通信により取得された運動情報と前記通信端末との通信に基づいて取得された前記トレーニング機器による運動情報とを前記通信端末に対応付けて管理する、
ようにした情報処理方法。
【００７９】
［９］
情報処理装置のコンピュータを制御するためのプログラムであって、
前記コンピュータを、
通信端末から通信により運動情報を取得する運動情報取得手段、
前記通信端末との通信に基づいてトレーニング機器による前記運動情報を取得する機器運動情報取得手段、
前記運動情報取得手段により取得された運動情報と前記機器運動情報取得手段により取得された運動情報とを前記通信端末に対応付けて管理する運動情報管理手段、
として機能させるためのプログラム。
【符号の説明】
【００８０】
１０  …ウェアラブルデバイス
１１  …ＣＰＵ
１２  …メモリ
１２ａ…ユーザＩＤ
１２ｂ…動作モード
１２ｃ…運動情報
１３  …運動センサ
１４  …タイマ／時計
１５  …非接触通信部
１６  …表示部
２０  …チェックイン／アウト端末（受付）
２１Ａ…施設ゲートＡ端末（スタジオＡ）
２１Ｂ…施設ゲートＢ端末（スタジオＢ）
２１Ｃ…施設ゲートＣ端末（プール）
２２Ａ…器具Ａ端末（ジムマシンＡ）
２２Ｂ…器具Ｂ端末（ジムマシンＢ）
２３  …投影パネル
２４  …内蔵プロジェクタ
２５  …非接触通信部
２６  …タッチパネル表示部
３０  …管理サーバ
３１  …ユーザ情報
【図１】
2016158867.tif 000003
【図２】
2016158867.tif 000004
【図３】
2016158867.tif 000005
【図４】
2016158867.tif 000006
【図５】
2016158867.tif 000007
【図６】
2016158867.tif 000008
【図７】
2016158867.tif 000009
【図８】
2016158867.tif 000010